(57)【要約】      （修正有）【課題】有機ＥＬ等の薄くてフレキシブルなディスプレイプレートを取り付け、Ｃ字型に湾曲させた状態でも、平らに延ばした状態でも使用可能なウェアラブル・バンド並びにこれを取り付けた電子機器を提供せんとする。【解決手段】外側に可撓性材質のディスプレイプレート５を取り付け、当該ディスプレイプレートと共に湾曲展開できる構成のウェアラブル・バンド１であって、このウェアラブル・バンド１は、平面状態から前記ディスプレイプレート５の湾曲限界角度範囲内において湾曲展開でき、かつ所定の湾曲角度及び又は展開角度を維持できるロック機構４Ａを備えることにより解決した。【選択図】図１
2017192659.tif 000002
【特許請求の範囲】
【請求項１】
外側に可撓性材質のディスプレイプレートを取り付け、当該ディスプレイプレートと共に湾曲展開できる構成のウェアラブル・バンドであって、このウェアラブル・バンドは、平面状態から前記ディスプレイプレートの湾曲限界角度範囲内において湾曲展開でき、かつ所定の湾曲角度及び又は展開角度を維持できるロック機構を備えていることを特徴とする、ウェアラブル・バンド。
【請求項２】
可撓性材質のフレキシブルプレートと、
このフレキシブルプレートの下面側に取り付けたところの所定の湾曲角度まで湾曲可能に構成され、前記フレキシブルプレートと共に湾曲展開可能に設けられたバンド本体と、
このバンド本体の下面側に沿って設けられ、当該バンド本体の湾曲展開操作に伴って長手方向へ伸縮するフレキシブル帯状板と、
このフレキシブル帯状板の両端部側と前記バンド本体の両端部側との間に前記バンド本体を内面側へ向けて所定量湾曲させたときに互いに係合して前記バンド本体の湾曲状態を維持するよう成したロック機構と、
を備えたことを特徴とする、ウェアラブル・バンド。
【請求項３】
前記バンド本体は、両端のエンドピースと、それらの間に順次並べて配列される複数の中間ピースとを、互いに所定角度範囲内で回動可能なように連結して成ることを特徴とする請求項２に記載のウェアラブル・バンド。
【請求項４】
前記エンドピースとこれに隣接する中間ピースとの互いに接触する側面、及び、互いに隣接する前記中間ピース同士の接触する側面が、前記バンド本体の湾曲限界角度を規定するように、各ピースの外面及び内面に対して傾斜して形成されたことを特徴とする、請求項３に記載のウェアラブル・バンド。
【請求項５】
前記中間ピースが、前記バンド本体の長手方向に沿って幅の短い小形中間ピースと、この小形中間ピースよりも幅の長い大形中間ピースとを含むことを特徴とする、請求項３に記載のウェアラブル・バンド。
【請求項６】
前記ロック機構は、前記バンド本体の両端部に設けられた係止部材と、前記フレキシブル帯状板の両端部に設けられた被係止部材とで構成し、前記バンド本体を所定量湾曲させた際に互いに係合してその湾曲状態を維持するように構成を備えていることを特徴とする、請求項１または２の何れか1項に記載のウェアラブル・バンド。
【請求項７】
前記請求項１〜６のいずれか１項に記載のウェアラブル・バンドを取り付けて成ることを特徴とする、電子機器。
【発明の詳細な説明】
【技術分野】
【０００１】
本発明は、ウェアラブル・バンド並びにこれを取り付けた電子機器に関し、とくに有機ＥＬ（electroluminescence）などによる薄くてフレキシブルな可撓性材質のディスプレイプレートを使用する場合に好適なウェアラブル・バンド並びにこれを取り付けた電子機器に関するものである。
【背景技術】
【０００２】
最近、時計型のスマートフォンが市場に出回るようになってきている。この時計型のスマートフォンは、外観上時計型を呈しており、ディスプレイ部分がフレキシブルに曲がる可撓性を有してはいない。したがって、このディスプレイ部分を取り付けるウェアラブル・バンドは、時計のバンドと同じような構成を有したものである。
【０００３】
しかるに、現在においては、有機ＥＬ製のフレキシブルに曲がる可撓性材質の薄いディスプレイプレートが開発されて市場に投入され始めたことから、このディスプレイプレートを用いた例えばスマートフォンのような電子機器のウェアラブル・バンドが求められている。このようにフレキシブルなディスプレイプレート用のウェアラブル・バンドは、下記特許文献１に記載されているように、側面Ｃ形状を呈しており、これを展開してディスプレイプレートを平面状にして用いるようには構成されていない。このディスプレイプレートを用いるウェアラブル・バンドは、ディスプレイプレートの湾曲限界角度を維持でき、かつ所定湾曲角度で湾曲角度を維持できた上で、さらに湾曲させたディプレイプレートを展開させて平面状態を維持できる機能を有することが望まれている。  
【先行技術文献】
【特許文献】
【０００４】
【特許文献１】特開２０１５−１９５２１３号公報
【発明の概要】
【発明が解決しようとする課題】
【０００５】
本発明は、上記課題を解決するためなされたものであり、その目的とするところは、ディスプレイプレートと共に湾曲展開でき、かつディスプレイプレートの湾曲限界角度を維持でき、さらに所定の湾曲角度でロックできるウェアラブル・バンドを提供せんとするにある。
【課題を解決するための手段】
【０００６】
上述した目的を達成するために、本発明に係るウェアラブル・バンドは、外側に可撓性材質のディスプレイプレートを取り付け、当該ディスプレイプレートと共に湾曲展開できる構成のウェアラブル・バンドであって、このウェアラブル・バンドは、前記ディスプレイプレートの湾曲限界角度範囲内において湾曲展開でき、かつ所定の湾曲角度及び又は展開角度を維持できるロック機構を備えていることを特徴とする。
【０００７】
本発明に係るウェアラブル・バンドはまた、可撓性材質のフレキシブルプレートと、このフレキシブルプレートの上面側に固着させた可撓性材質のディスプレイプレートと、このディスプレイプレートの湾曲限界角度まで湾曲可能に構成され、前記フレキシブルプレートの下面側に当該フレキシブルプレートと共に湾曲展開可能に設けられたバンド本体と、このバンド本体の下面側に沿って設けられ、当該バンド本体の湾曲展開操作に伴って長手方向へ伸縮するフレキシブル帯状板と、このフレキシブル帯状板の両端部側と前記バンド本体の両端部側との間に前記バンド本体を内面側へ向けて所定量湾曲させたときに互いに係合して前記バンド本体の湾曲状態を維持するよう成したロック機構と、を備えたことを特徴とする。
【０００８】
本発明はさらに、前記バンド本体が、両端のエンドピースと、それらの間に順次並べて配列される複数の中間ピースとを、互いに所定角度範囲内で回動可能なように連結して成ることを特徴とする。
【０００９】
本発明はさらに、前記エンドピースとこれに隣接する中間ピースとの互いに接触する側面、及び、互いに隣接する前記中間ピース同士の接触する側面が、前記バンド本体の湾曲限界角度を規定するように、各ピースの外面及び内面に対して傾斜して形成されたことを特徴とする。
【００１０】
本発明はさらに、前記中間ピースが、前記バンド本体の長手方向に沿って幅の短い小形中間ピースと、この小形中間ピースよりも幅の長い大形中間ピースとを含むことを特徴とする。
【００１１】
本発明はさらに、前記ロック機構が、前記バンド本体の両端部に設けられた係止部材と、前記フレキシブル帯状板の両端部に設けられた被係止部材とで構成し、前記バンド本体を所定量湾曲させた際に互いに係合してその湾曲状態を維持するように構成を備えていることを特徴とする。
【００１２】
そして、本発明に係る電子機器は、上記の如き構成のウェアラブル・バンドを取り付けて成ることを特徴とする。
【発明の効果】
【００１３】
本発明は上記構成を有することにより、そのバンド本体の外面に有機ＥＬ等の薄くてフレキシブルなディスプレイプレートを安定して取り付けることが可能であり、また、Ｃ字型に湾曲させた状態を保持させることができるので、簡単な操作で腕に装着できると共に、平らに延ばした展開状態で手で保持し、或はデスクやテーブルの上に置いて、そのディスプレイ画面を見たりタッチパネル式に操作したりすることも可能であり、デザイン的にもシンプルかつスマートに構成できるので、これを用いたさまざまな電子機器を開発することも可能なウェアラブル・バンドを提供でき、更にまた、このウェアラブル・バンドを備えた電子機器を提供し得るものである。
【図面の簡単な説明】
【００１４】
【図１】本発明に係るウェアラブル・バンドの一実施例を湾曲させた状態で示す外観図であり、（ａ）及び（ｂ）はそれぞれ異なった方向から見た斜視図、（ｃ）は側面図である。
【図２】図１に示したウェアラブル・バンドを平らに延ばした状態を示す外観図であり、（ａ）は外面側から見た斜視図、（ｂ）は内面側から見た斜視図である。
【図３】図１及び図２に示したウェアラブル・バンドに有機ＥＬ等のディスプレイプレートを取り付けて使用する状態を示す説明図であり、（ａ）はその組立て状態を示す斜視図、（ｂ）はその使用時の湾曲させた状態を示す斜視図である。
【図４】図１及び図２に示したウェアラブル・バンドの分解斜視図である。
【図５】図１及び図２に示したウェアラブル・バンドの湾曲状態を維持するためのロック機構の構成及び作動を示す説明図である。
【図６】ロック機構部分の構成を示す拡大斜視図である。
【図７】図１及び図２に示したウェアラブル・バンドにおける小形中間ピースの（ａ）正面図、（ｂ）平面図、（ｃ）底面図、（ｄ）右側面図、（ｅ）Ａ−Ａ断面図、（ｆ）Ｂ−Ｂ断面図、（ｇ）Ｃ−Ｃ断面図である。
【図８】図１及び図２に示したウェアラブル・バンドにおける大形中間ピースの（ａ）斜視図、（ｂ）正面図、（ｃ）左側面図、（ｄ）平面図、（ｅ）底面図、（ｆ）Ｄ−Ｄ断面図、（ｇ）Ｅ−Ｅ断面図である。
【図９】図１及び図２に示したウェアラブル・バンドにおけるエンドピースの（ａ）正面図、（ｂ）底面図、（ｃ）Ｆ−Ｆ断面図、（ｄ）Ｇ−Ｇ断面図、（ｅ）Ｈ−Ｈ断面図である。
【図１０】図１及び図２に示したウェアラブル・バンドにおける連結ピースの（ａ）平面図、（ｂ）右側面図である。
【図１１】図１及び図２に示したウェアラブル・バンドにおけるロック機構中の係止部材の（ａ）平面図、（ｂ）その右側面図、（ｃ）Ｉ−Ｉ断面図である。
【図１２】図１及び図２に示したウェアラブル・バンドにおけるロック機構中の被係止部材の（ａ）斜視図、（ｂ）左側面図、（ｃ）底面図、（ｄ）Ｊ−Ｊ断面図である。
【発明を実施するための形態】
【００１５】
以下、図面を参照しつつ、本発明の好適な実施例を電子機器の一種であるスマートフォン用のウェアラブル・バンドについて実施した場合について説明するが、このものに限定されない。本発明に係るウェアラブル・バンドは、可等製材質のディスプレイプレートを用いるその他の電子機器についてもそのまま応用できるものである。また、各図面において、同一の指示記号を付したものは、同一の構成要素を示している。さらに、本発明は、図示した実施例に限定されず、特許請求の範囲に記載された範囲内における各種の変更実施例を包摂するものである。
【実施例】
【００１６】
図１〜図５には、本発明に係るウェアラブル・バンドの一実施例が示されている。このウェアラブル・バンド１の使用方法の一例は、例えば図３（ａ）に示すように、その外面に設けたフレキシブルプレート５に接着剤１０４等を用いて有機ＥＬ製等のフレキシブルなディスプレイプレート１０１を取り付け、これらを例えばシリコンゴム製のカバーケース１０５内に収容して使用するものである。そして、ディスプレイプレート１０１を曲げることなく平らな展開状態で手に持ち、これまでのスマートフォンと同じようにして使用したり、或いはまた、図３（ｂ）に示すような湾曲させた状態にして手首などに装着し、スマートフォンとしての機能のみならず、体調管理や、遊具などの機能を持たせて使用することもできる。ディスプレイプレート１０１を作動させるための回路基板１０２Ａや充電式電池１０２Ｂ等は、図示する如くディスプレイプレート１０１の裏面に取り付け、ウェアラブル・バンド１のフレキシブルプレート５のメインフレキシブルプレート５ａと各サブフレキシブルプレート５ｂと５ｃの間のスペースに収容されるようにしたり、或いはまた、回路基板１０３Ａや充電式電池１０３Ｂを、後述するバンド本体２の大形中間ピース２３Ａ、２３Ｂの内面側のスペースに収容するようにしてもよい。本発明に係るウェアラブル・バンド１の使用方法は、これに限らず、各種各様の形態が可能であり、その使用目的等に応じて、ウェアラブル・バンド１自体の形態も設計変更やデザイン変更することが可能である。
【００１７】
以下に本発明に係るウェアラブル・バンド１について、その概要を説明した後、各部材やそれらの組立て方法について詳しく説明する。本発明に係るウェアラブル・バンド１は、図示した実施例において、フレキシブルプレート５と、このフレキシブルプレート５の上面側に取り付けられたバンド本体２と、このバンド本体２の内面側に装着された２枚のフレキシブル帯状板３Ａ、３Ｂと、前記バンド本体２の両端部にそれぞれ設けられたロック機構４Ａ、４Ｂとを備えている。このうちフレキシブル帯状板３Ａ、３Ｂとロック機構４Ａ、４Ｂは、実施例では前記バンド本体２を湾曲させて使用する際、その湾曲状態を維持するためのものである。
【００１８】
フレキシブルプレート５はメインフレキシブルプレート５ａ、サブフレキシブルプレート５ｂ及び５ｃから成り、例えば可撓性を有するＳＵＳ３０４Ｈ等のステンレスで作製される。バンド本体２は、その両端に設けられるエンドピース２１Ａ、２１Ｂと、それらの間に順次並べて配列される複数の中間ピース２２Ａ〜２２Ｉ、２３Ａ、２３Ｂと、複数の連結ピース２４Ａ〜２４Ｊとを備え、これら複数の中間ピース２２Ａ〜２２Ｉ、２３Ａ、２３Ｂを前記複数の連結ピース２４Ａ〜２４Ｊを介して軸支ピン７、７で互いに所定角度範囲内で回動可能なように連結することにより構成されている。図示した実施例においては、エンドピース２１Ａと中間ピース２２Ａはサブフレキシブルプレート５ｂにより連結され、同様にエンドピース２１Ｂと中間ピース２２Ｂはサブフレキシブルプレート５ｃにより連結されている。この実施例においては、前記各部材のうち、エンドピース２１Ａ、２１Ｂ、中間ピース２２Ａ〜２２Ｉ、２３Ａ、２３Ｂ及び連結ピース２４Ａ〜２４Ｊは、ＰＯＭ（ポリアセタール）等の合成樹脂により作製され、軸支ピン７、７（及び後述のガイドピン８Ａ、８Ｂ、押えピン９Ａ、９Ｂ）は、例えばＳＵＳ３０４Ｈ等のステンレスで作製される。ただし、必ずしもこれらの材料に限定されるものではない。なお、図示した実施例において、前記中間ピースとしては、小形中間ピース２２Ａ〜２２Ｉと、大形中間ピース２３Ａ、２３Ｂとが用いられる。このように、小形中間ピース２２Ａ〜２２Ｉ以外に大形中間ピース２３Ａ、２３Ｂを設けたのは、比較的広い面積の曲がらない領域を設け、回路基板や、電池などの曲げられない部材を取り付け易くするためである。
【００１９】
フレキシブル帯状板３Ａ、３Ｂは、必ずしも２枚で構成される必要はないが、それぞれ薄いステンレス等の可撓性材質の金属で作製され、それぞれ主体部３０１、３２１、内方延出部３０２、３０３、３２２、３２３、外方延出部３０４、３０５、３２４、３２５を有し、それぞれの内端部３０６、３０７、３２６、３２７に設けた固定ピン孔３０８、３０９、３２８、３２９において、前記バンド本体２の中央に角度する小形中間ピース２２Ｆに対して固定ピン６ａ、６ａによって固定される。即ち、固定ピン６ａ、６ａは、メインフレキシブルプレート５ａの固定ピン孔５３ｂ、５３ｃから小形中間ピース２２Ｆの固定ピン孔２２ｆ、２２ｈを経て、前記フレキシブル帯状板３Ａの固定ピン孔３０８、３０９に挿入され、更にその上に重ねられたフレキシブル帯状板３Ｂの固定ピン孔３２８、３２９に挿入されたのち、その先端をカシメ付け等の手段で変形させることにより、前記２枚のフレキシブル帯状板３Ａ、３Ｂのそれぞれの内端部３０６、３０７、３２６、３２７を小形中間ピース２２Ｆの内面に固定させる。各フレキシブル帯状板３Ａ、３Ｂは、この固定角度からバンド本体２の内面に沿って長手方向に外方へ延びるよう設けられ、それらの外端部３１０、３１１、３３０、３３１が、バンド本体２のエンドピース２１Ａ、２１Ｂの角度に達するまでの長さを有している。各フレキシブル帯状板３Ａ、３Ｂの内端部３０６、３０７、３２６、３２７の前記固定角度から前記外端部３１０、３１１、３３０、３３１に至るまでの範囲はバンド本体２に固定されることなく、バンド本体２の内面から言わば浮いた状態にある。そのため、バンド本体２を内面側へ向けて湾曲させると、バンド本体２の内面に沿った長さは縮小するのに対して、バンド本体２と共に曲げられる各フレキシブル帯状板３Ａ、３Ｂ自体の前記固定部分から前記外端部３１０、３１１、３３０、３３１までの範囲の長さは実質的に変化しないため、その長さの差により、各フレキシブル帯状板３Ａ、３Ｂの外端部３１０、３１１、３３０、３３１は、バンド本体２の内面に沿ってその長手方向に外方へ向かって進出するようにスライドする。逆に、バンド本体２を、湾曲した状態から平坦な状態へ復元させるときは、バンド本体２の外端部３１０、３１１、３３０、３３１は、バンド本体２の内面に沿って元の角度に復帰するように長手方向に沿って内方へ向けてスライドする。
【００２０】
ロック機構４Ａ、４Ｂは、前記エンドピース２１Ａ、２１Ｂとフレキシブル帯状板３Ａ、３Ｂの外端部３１０、３１１、３３０、３３１との間にそれぞれ設けられ、バンド本体２を内面側へ向けて湾曲させたときに、前記の如くエンドピース２１Ａ、２１Ｂの側へ進出してきた各フレキシブル帯状板３Ａ、３Ｂの外端部３１０、３１１、３３０、３３１を、その角度に留めるよう拘束して、バンド本体２の湾曲状態（したがって、ウェアラブル・バンド１の湾曲状態）を維持するようになっている。図示した実施例において、このロック機構４Ａ、４Ｂは、前記エンドピース２１Ａ、２１Ｂにそれぞれ取り付けられた１対の係止部材４１Ａ、４１Ｂと、前記フレキシブル帯状板３Ａ、３Ｂの外端部（自由端部）３１０、３１１、３３０、３３１に固定ピン４４、４４（図４、図５参照）により取り付けられた１対の被係止部材４２Ａ、４２Ｂとを備え、前記１対の係止部材４１Ａ、４１Ｂはコイルバネ等の弾性手段４３、４３によって前記被係止部材４２Ａ、４２Ｂへ向かう方向へ付勢されている。前記係止部材４１Ａ、４１Ｂには係合凸部４１１及び係合凹部４１２、４１３（図５、図１１参照）が形成され、他方、前記被係止部材４２Ａ、４２Ｂには前記係止部材４１Ａ、４１Ｂの前記係合凸部４１１及び係合凹部４１２、４１３と嵌まり合う係合凹部４２２、４２３及び係合凸部４２１（図５、図１２参照）が形成され、前記バンド本体２を前記の如く内面側へ向けて所定量湾曲させたときには、前記係止部材４１Ａ、４１Ｂの係合凸部４１１と被係止部材４２Ａ、４２Ｂの係合凹部４２２とが互いに係合し、係止部材４１Ａ、４１Ｂと被係止部材４２Ａ、４２Ｂのロック状態が創出され、バンド本体２の湾曲状態が維持されるようになっている。ウェアラブル・バンド１をこの湾曲状態から図２に示すように展開させて平らな状態に戻すため、ウェアラブル・バンド１（バンド本体２）にこれを平らにする向きの少し強い力を加えると、前記係止部材４１Ａ、４１Ｂの係合凸部４１１と被係止部材４２Ａ、４２Ｂの係合凹部４２２との係合が解かれ、前記ロック状態が解除されて、ウェアラブル・バンド１は元の平坦な展開状態に復帰できるようになる。
【００２１】
なお、前記係止部材４１Ａ、４１Ｂは、そのピン挿通孔４１４、４１５（図１１参照）に挿通された２本のピン８１、８２からなるガイドピン８Ａ、８Ｂ（図４）により前記エンドピース２１Ａ、２１Ｂ上でこれらのガイドピン８Ａ、８Ｂに沿ってスライド可能に保持されている。また、前記被係止部材４２Ａ、４２Ｂは、その断面が長孔状のピン挿通孔４２４（図１２）に挿通された前記２本のピン８１、８２からなるガイドピン８Ａ、８Ｂにより、前記フレキシブル帯状板３Ａ、３Ｂの進退方向にスライド可能に保持されると共に、前記フレキシブル帯状板３Ａ、３Ｂの外端部３１０、３１１、３３０、３３１の近い部分は、押えピン９Ａ、９Ｂ（図２、４、５）によって、進退可能なように保持されている。
【００２２】
以下、各部材等の構成についてより詳細に説明する。バンド本体２の前記小形中間ピース２２Ａ〜２２Ｉは、いずれも同一の構成であるので、ここでは当該小形中間ピース２２Ａのみについて説明し、図中における指示記号も、図面の繁雑化を防ぐため当該小形中間ピース２２Ａについてだけ記載することとする。同様に、前記大形中間ピース２３Ａと２３Ｂも同一の構成であり、前記連結ピース２４Ａ〜２４Ｊも互いに同一の構成であるので、それぞれ１個についてだけ説明する。
【００２３】
フレキシブルプレート５は、メインフレキシブルプレート５ａ、サブフレキシブルプレート５ｂ、５ｃから成る。図４に示す如く、メインフレキシブルプレート５ａは、プレート部５３ａと、複数の固定ピン孔５３ｂ〜５３ｄを有している。同様に、サブフレキシブルプレート５ｂ、５ｃも、プレート部５１ａ、５２ａと、複数の固定ピン孔５１ｂ〜５１ｅ、５２ｂ〜５２ｅを有している。
【００２４】
バンド本体２の前記小形中間ピース２２Ａは、図示（図７に小形中間ピース２２Ａを単品として示す）した如く構成され、主体部２２ａと、端縁立上げ部２２ｂ、２２ｃと、ピン通し突部２２ｄ、２２ｅと、固定ピン孔２２ｆ〜２２ｈと、嵌合凸部２２ｉ、２２ｊと、嵌合凹部２２ｋ、２２ｌと、ピン挿通孔２２ｍ〜２２ｐと、連通溝２２１ｎ、２２２ｎ、２２１ｏ、２２２ｏと、傾斜側面２２ｑ、２２ｒとを有している。この小形中間ピース２２Ａは、本実施例の場合、前記の如くＰＯＭ等の合成樹脂を射出成形等することにより作製される。その場合、ピン通し突部２２ｄ、２２ｅに設けられるピン挿通孔２２ｍ〜２２ｐの成形については、その成形操作の容易化のために、主体部２２ａの外面側に連通溝２２１ｎ、２２１ｏを形成し、同様に内面側に連通溝２２２ｎ、２２２ｏを形成し、これらを互いに連通させることによって、前記ピン挿通孔２２ｍ〜２２ｐが形成されるようにする。端縁立上げ部２２ｂ、２２ｃと、ピン通し突部２２ｄ、２２ｅの傾斜側面２２ｑ、２２ｒ［図７（ｄ）〜（ｇ）参照］を傾斜させるのは、前記バンド本体２の湾曲限界角度を規定するようにするためである。嵌合凸部２２ｉ、２２ｊと、嵌合凹部２２ｋ、２２ｌとは、隣接する小形中間ピース２２Ａ又は大形中間ピース２３Ａ、２３Ｂの同様の嵌合凸部や嵌合凹部と嵌まり合って、バンド本体２の捩れ等を防止し、バンド本体の形状の安定性を確保する役割を果たす。
【００２５】
バンド本体２の前記大形中間ピース２３Ａは、図示（図８に大形中間ピース２３Ａを単品として示す）した如く構成され、主体部２３ａと、端縁立上げ部２３ｂ、２３ｃと、ピン通し突部２３ｄ〜２３ｇと、固定ピン孔２３ｈ、２３ｈと、嵌合凸部２３ｉ、２３ｊと、嵌合凹部２３ｋ、２３ｌと、ピン挿通孔２３ｍ〜２３ｔと、連通溝２３１ｎ、２３１ｏ、２３１ｒ、２３１ｓ、２３２ｎ、２３２ｏ、２３２ｒ、２３２ｓと、傾斜側面２３ｕ、２３ｖとを有している。この大形中間ピース２３Ａも、本実施例の場合、ＰＯＭ等の合成樹脂を射出成形等することにより作製される。その場合のピン通し突部２３ｄ〜２３ｇに設けられるピン挿通孔２３ｎ、２３ｏ、２３ｒ、２３ｓの成形についても、前記と同様に、その成形操作の容易化のために、主体部２３ａの外面側の連通溝２３１ｎ、２３１ｏ、２３１ｒ、２３１ｓと、内面側の連通溝２３２ｎ、２３２ｏ、２３２ｒ、２３２ｓを互いに連通させることによって、前記ピン挿通孔２３ｎ、２３ｏ、２３ｒ、２３ｓが形成されるようにする。端縁立上げ部２３ｂ、２３ｃと、ピン通し突部２３ｄ〜２３ｇの傾斜側面２３ｕ、２３ｖを傾斜させるのは、前記バンド本体２の湾曲限界角度を規定するようにするためである。
【００２６】
バンド本体２の前記エンドピース２１Ａ（２１Ｂ）は、図示（図９にエンドピース２１Ａを単品として示す）した如く構成され、主体部２１ａと、端縁立上げ部２１ｂ、２１ｃと、ピン通し突部２１ｄと、固定ピン孔２１ｅ、２１ｇと、嵌合凹部２１ｈ、２１ｉと、ピン挿通孔２１ｊ、２１ｋと、連通溝２１ｌ〜２１ｎと、傾斜側面２１ｏ、２１ｐとを有している。このエンドピース２１Ａも、本実施例の場合、ＰＯＭ等の合成樹脂を射出成形等することにより作製される。その場合のピン通し突部２１ｄに設けられるピン挿通孔２１ｊ、２１ｋの成形についても、前記と同様に、その成形操作の容易化のために、主体部２１ａの外面側の連通溝２１ｎと、内面側の連通溝２１ｌ、２１ｍとを互いに連通させることによって、前記ピン挿通孔２１ｊ、２１ｋが形成されるようにする。端縁立上げ部２１ｂ、２１ｃの傾斜側面２１ｏ、２１ｐを傾斜させるのは、前記バンド本体２の湾曲限界角度を規定するようにするためである。
【００２７】
バンド本体２の前記連結ピース２４Ａは、図示（図１０に連結ピース２４Ａを単品として示す）した如く構成され、主体部２４ａと、２つの断面長円形のピン挿通孔２４ｂ、２４ｃとを有している。ピン挿通孔２４ｂ、２４ｃの断面を長円形としたのは、これらの孔に挿通される２本の軸支ピン７、７は、互いに隣接する２個の小形中間ピースや大形中間ピースにそれぞれ挿通され、それら２本の軸支ピン７、７間の間隔が、ウェアラブル・バンド１の湾曲操作に応じて変化するのに対応させるためである。
【００２８】
次に、本実施例において前記小形中間ピースと大形中間ピースを連結したり、小形中間ピース同士を連結する方法について説明する。前記小形中間ピース２２Ａと大形中間ピース２３Ａを連結する場合には、図６［図２（ｂ）、図４、図５を併せて参照］に示すように、小形中間ピース２２Ａと大形中間ピース２３Ａをそれらの内面側を上に向けて置き、小形中間ピース２２Ａ上の１対のピン通し突部２２ｄ、２２ｅと大形中間ピース２３Ａ上の１対のピン通し突部２３ｄ、２３ｅとの間に前記連結ピース２４Ａをセットする。次いで、１本の軸支ピン７を、小形中間ピース２２Ａの端縁立上げ部２２ｂのピン挿通孔２２ｍ（図７）から挿入し、更に、小形中間ピース２２Ａのピン通し突部２２ｄのピン挿通孔２２ｎ、連結ピース２４Ａの一方のピン挿通孔２４ｂ、小形中間ピース２２Ａのピン通し突部２２ｅのピン挿通孔２２ｏを通過して、小形中間ピース２２Ａのもう一方の端縁立上げ部２２ｃのピン挿通孔２２ｐまで挿通させる。次いで、もう１本の軸支ピン７を、大形中間ピース２３Ａの端縁立上げ部２３ｂのピン挿通孔２３ｑ（図８）から挿入し、更に、大形中間ピース２３Ａのピン通し突部２３ｄのピン挿通孔２３ｒ、連結ピース２４Ａのもう一方のピン挿通孔２４ｃ、大形中間ピース２３Ａのピン通し突部２３ｅのピン挿通孔２３ｓを通過して、大形中間ピース２３Ａのもう一方の端縁立上げ部２３ｃのピン挿通孔２３ｔまで挿通させる。以上の組立て作業により、図１、図２、図５、図６に示すように、連結ピース２４Ａを介して小形中間ピース２２Ａと大形中間ピース２３Ａとが連結されたことになる。小形中間ピース２２Ｃ〜２２Ｉ同士の連結もこれと同様であるので、その説明は省略する。
【００２９】
以上の組立て作業により、複数の小形中間ピース２２Ａ〜２２Ｉと２個の大形中間ピース２３Ａ、２３Ｂとが図２及び図５に示すように連結される。このとき使用された多数本の軸支ピン７、７は、小形中間ピース２２Ａ〜２２Ｉと大形中間ピース２３Ａ、２３Ｂの内面上に延びる前記フレキシブル帯状板３Ａ、３Ｂの更に上に掛け渡すように取り付けられるため、フレキシブル帯状板３Ａ、３Ｂが途中で大きく浮き上がったり、めくれ上がったりするのを防止する役割を果たす。
【００３０】
次に、エンドピース２１Ａと小形中間ピース２２Ａの連結、及び、エンドピース２１Ｂと小形中間ピース２２Ｂの連結は、図示した実施例においては、それぞれサブフレキシブルプレート５ｂ及び５ｃによって行われるようになっている。即ち、例えば小形中間ピース２２Ａに対するエンドピース２１Ａの連結は、ステンレス（例えばＳＵＳ３０４Ｈ）等の金属で作製された固定ピン６、６を、サブフレキシブルプレート５ｂのプレート部５１ａに明けた固定ピン孔５１ｂ、５１ｃから小形中間ピース２２Ａの前記固定ピン孔２２ｆ、２２ｈに挿入し、カシメ付け等により固定することにより、小形中間ピース２２Ａとサブフレキシブルプレート５ｂとを固定する。同様に、別の固定ピン６、６を、サブフレキシブルプレート５ｂの固定ピン孔５１ｄ、５１ｅからエンドピース２１Ａの前記固定ピン孔２１ｅ、２１ｇに挿入し、カシメ付け等により固定することにより、エンドピース２１Ａとフレキシブルプレート５とを固定する。サブフレキシブルプレート５ｂは前記の如く金属製であり、或る程度の可撓性を有するので、エンドピース２１Ａは小形中間ピース２２Ａに対して或る程度の角度範囲内で回動可能なように取り付けられる。
【００３１】
エンドピース２１Ａ上には、図５、図６に示すように、そのピン通し突部２１ｄを介在させて１対の係止部材４１Ａ、４１Ｂが互いに接近、開離可能なように対向した状態で取り付けられる。係止部材４１Ａ（４１Ｂも同様）は、図示（図１１に係止部材４１Ａを単品として示す）した如く構成され、主体部４１０と、係合凸部４１１と、係合凹部４１２、４１３と、ピン挿通孔４１４、４１５と、脚部４１６、４１７と、弾性手段収容部４１８、４１９と、凹所４００とを有している。そのピン挿通孔４１４、４１５には、２本のピン８１、８２（図４参照）から成るガイドピン８Ａが挿通され、このガイドピン８Ａの両端はエンドピース２１Ａの前記端縁立上げ部２１ｂ、２１ｃに設けた前記ピン挿通孔２１ｊ、２１ｋに挿入されている。これにより、１対の係止部材４１Ａ、４１Ｂはガイドピン８Ａに沿って互いに接近、開離可能なように保持される。これら１対の係止部材４１Ａ、４１Ｂの弾性手段収容部４１８、４１９には、２本のコイルスプリング等から成る弾性手段４３、４３（図４、図５参照）が収容され、これらの係止部材４１Ａ、４１Ｂを後述する被係止部材４２Ａ、４２Ｂに向けてそれぞれ圧接させるよう付勢するようになっている。
【００３２】
被係止部材４２Ａ（４２Ｂも同様）は、図示（図１２に被係止部材４２Ａを単品として示す）した如く構成され、主体部４２０と、係合凸部４２１と、係合凹部４２２、４２３と、ピン挿通孔４２４と、切溝４２５と、止め孔４２６、４２７とを有している。この被係止部材４２Ａ（４２Ｂ）は、前記フレキシブル帯状体３Ａ（３Ｂ）の外方延出部３０４、３０５の外端部３１０、３１１に固定するようになっている。即ち、前記フレキシブル帯状体３Ａの外端部３１０、３１１を、被係止部材４２Ａの切溝４２５に合せてセットし、フレキシブル帯状体３Ａの外端部３１０、３１１に設けた固定ピン孔３１２、３１２、３１３、３１３に固定ピン４４、４４を通して被係止部材４２Ａ、４２Ｂと固定するようになっている。被係止部材４２Ａ（４２Ｂ）には、長円状のピン挿通孔４２４が明けられ、前記ガイドピン８Ａ（８Ｂ）を挿通するようになっている。これは、バンド本体２を湾曲させて図５（ｂ）に示すようにフレキシブル帯状体３Ａが長手方向に沿って外端側へ進出するとき、被係止部材４２Ａ（４２Ｂ）がエンドピース２１Ａ上で前後方向（進退方向）に移動可能なように保持すると共に、上方向へ持ち上がって逃げないようにする役割を果たすものである。エンドピース２１Ａ（２１Ｂ）に隣接する小形中間ピース２２Ａ（２２Ｂ）に取り付けられた押えピン９Ａ（９Ｂ）は、フレキシブル帯状体３Ａ（３Ｂ）が長手方向に沿って進出するとき、上下に曲がらないようにするためのものである。
【００３３】
次に、上記の如く構成されたウェアラブル・バンド１の機能について説明する。このウェアラブル・バンド１は、例えば図３（ａ）に示すように、その外面に設けたメインフレキシブルプレート５ａに接着剤１０４等を用いて有機ＥＬ等のフレキシブルなディスプレイプレート１０１を取り付け、スマートフォン、体調管理計、遊具、等々の画像表示を伴う電子機器として利用することができる。その場合、ウェアラブル・バンド１を曲げたり延ばしたりすると、バンド本体２の外周面の長さは変化するが、ステンレス等で作製されたフレキシブルプレート５自体は伸縮しないため、ディスプレイプレート１０１を安定した状態で取り付けることができる。
【００３４】
ウェアラブル・バンド１は、これを曲げることなく、図２に示したような平坦に延ばした展開状態でデスクやテーブル上に置いて使用したり、或いは平らな状態で手に持ち、ディスプレイ画面を見たり、タッチパネル式に操作したりすることが可能である。また、図１に示すようにウェアラブル・バンド１をＣ字型に湾曲させて手首、腕、足首などに装着した状態で、スマートフォン、体調管理計、遊具などとして使用可能である。そのように湾曲させて使用する場合、図１（ｃ）に示すように、ウェアラブル・バンド１を所定量湾曲させると、小形中間ピース２２Ａ〜２２Ｉの傾斜側面２２ｑ、２２ｒと、大形中間ピース２３Ａ、２３Ｂの傾斜側面２３ｕ、２３ｖと、エンドピース２１Ａ、２１Ｂの傾斜側面２１ｏ、２１ｐとが互いに当接し、湾曲限界角度に達して、それ以上は湾曲しなくなる。その状態に達するまで、フレキシブル帯状板３Ａ、３Ｂの外端部３１０、３１１、３３０、３３１（図４）は、バンド本体２の内面に沿ってその長手方向に進出するようにスライドする。その際、図５に示すように、フレキシブル帯状体３Ａの外方延出部３０４、３０５の外端部３１０、３１１に取り付けられた被係止部材４２Ａ、４２Ｂは図５（ａ）に示す角度から図５（ｂ）に示す角度へ移動し、係止部材４１Ａ、４１Ｂに係止されて、ロック状態となり、上記湾曲限界角度における湾曲状態が維持される。即ち、前記バンド本体２を前記湾曲限界角度に達するまで湾曲させたときには、前記係止部材４１Ａ、４１Ｂの係合凸部４１１と被係止部材４２Ａ、４２Ｂの係合凹部４２２とが互いに係合し、係止部材４１Ａ、４１Ｂと被係止部材４２Ａ、４２Ｂのロック状態が創出されるようになっている。ウェアラブル・バンド１をこの湾曲状態から図２に示すような平らな状態に戻すため、ウェアラブル・バンド１（バンド本体２）に対してこれを平らにする向きの若干強い力を加えると、前記係止部材４１Ａ、４１Ｂの係合凸部４１１と被係止部材４２Ａ、４２Ｂの係合凹部４２２との係合が解かれ、ロック状態が解除されて、ウェアラブル・バンド１を元の平坦な状態に戻すことができる。もう一方のフレキシブル帯状体３Ｂについてのロック機構４Ｂの機能についても同様である。
【００３５】
尚、本発明に係る上記ブル・バンド１は、図示をしてないが、ロック機構を前記フレキシブル帯状体３Ａと、各ピースとの間の凸部と凹部が互いに嵌脱自在に凸凹嵌合する構成のロック機構、或はその他の公知構成のロック機構、さらにはこれらのロック機構とフリクション機構を併用したりすることによって、所定の湾曲角度或は平らに展開させた展開状態を維持するように構成することができる。このように実施すると、ディスプレイプレートを平らにした状態で机の上に置き、或は手で保持した状態で安定的にディスプレイの操作ができ、さらには様々な湾曲角度で使用することができる。
【００３６】
本発明に係る電子機器は、上記の如き構成を有する本発明に係るウェアラブル・バンドを取り付けて成ることを特徴とするスマートフォン、健康管理計、ゲーム用などの電子機器である。
【００３７】
尚、本発明は上記の実施例に限定されるものではない。例えば、前記中間ピースやエンドピースの連結方法、小形中間ピースと大形中間ピースの数や配置、フレキシブルプレートの取付けの有無、ロック機構の構成、等々については、必要に応じて適宜設計変更することが可能である。したがって、本発明は、上記の説明から当業者が容易に想到し得るすべての変更実施例を包摂するものである。
【産業上の利用可能性】
【００３８】
本発明は上記構成を有することにより、そのバンド本体の外面に有機ＥＬ製等の薄くてフレキシブルなディスプレイプレートを安定して取り付けることが可能であり、また、Ｃ字型に湾曲させた状態を保持させることができるので、簡単な操作で腕に装着できると共に、平らに延ばした状態で手に持ったり、デスクやテーブルの上に置いて、そのディスプレイ画面を見たりタッチパネル式に操作したりすることも可能であり、デザイン的にもシンプルかつスマートに構成できるので、これを用いたさまざまな製品を開発することも可能なウェアラブル・バンドを提供でき、更にまた、このウェアラブル・バンドを備えた電子機器を提供し得るものである。
【符号の説明】
【００３９】
１      ウェアラブル・バンド
２      バンド本体
２１Ａ、２１Ｂ    エンドピース
２２Ａ〜２２Ｉ    小形中間ピース
２３Ａ、２３Ｂ    大形中間ピース
３Ａ、３Ｂ    フレキシブル帯状板
４Ａ、４Ｂ    ロック機構
４１Ａ、４１Ｂ    係止部材
４２Ａ、４２Ｂ    被係止部材
５    フレキシブルプレート
１０１  ディスプレイプレート
【図１】
2017192659.tif 000003
【図２】
2017192659.tif 000004
【図３】
2017192659.tif 000005
【図４】
2017192659.tif 000006
【図５】
2017192659.tif 000007
【図６】
2017192659.tif 000008
【図７】
2017192659.tif 000009
【図８】
2017192659.tif 000010
【図９】
2017192659.tif 000011
【図１０】
2017192659.tif 000012
【図１１】
2017192659.tif 000013
【図１２】
2017192659.tif 000014